(57)【要約】【課題】  軸端側列の内輪及び外輪の傾きを少なくして、軸受剛性の安定性と胴の振れを抑制すること。【解決手段】  外輪１２は、複列一体であり、内輪１１ａ，１１ｂは、２つの単列であり、２列背面組合せに設定してある。また、予圧を加える際には、軸端よりナット（図示略）にて軸端側列の内輪１１ａが締め込まれる。さらに、内輪１１ａ，１１ｂの小鍔１４ａ，１４ｂは、双方の小鍔１４ａ，１４ｂ同士の間隔が互いに接触しない最小隙間になるように、軸方向に拡幅してある。即ち、双方の小鍔１４ａ，１４ｂは、軸方向中央で、最小隙間をおいて、互いに近接するように形成してある。【選択図】  図２
2006077977.tif 000002
【特許請求の範囲】
【請求項１】
内輪と、外輪と、これら内・外輪の間に転動自在に介装した転動体とを備えた転がり軸受において、
前記外輪は、複列一体であり、
前記内輪は、２つの単列であり、
少なくとも一方の内輪は、双方の小鍔同士の間隔が互いに接触しない最小隙間になるように、軸方向に拡幅してあることを特徴とする転がり軸受。
【請求項２】
内輪と、外輪と、これら内・外輪の間に転動自在に介装した転動体とを備えた転がり軸受において、
前記外輪は、複列一体であり、
前記内輪は、２つの単列であり、
少なくとも一方の内輪は、双方の小鍔同士の間隔が互いに接触しない最小隙間になるように、軸方向に拡幅してあり、当該一方の内輪のみ小径化して厚肉化してあることを特徴とする転がり軸受。
【発明の詳細な説明】
【技術分野】
【０００１】
本発明は、例えば、印刷機械の胴サポートに好適な転がり軸受に関する。
【背景技術】
【０００２】
印刷機械の胴サポート用転がり軸受の場合、印刷時のインクのずれやむらが極力少なくなる様に、胴の自由度を略完全拘束する必要があり、軸受には、剛性が要求され、また、軸受には、予圧が付与される。
【０００３】
従来、単列の円すいころ軸受を、外輪間座を合わせた２列背面組合せで使用され、予圧を加える際に、軸端よりナットにて軸端側列の内輪を締め込む構造で使用されている。
【０００４】
図６は、印刷機械の胴と、当該胴サポート用転がり軸受の断面図である。印刷機械では、胴１には、軸２が連結してあり、この軸２は、２つの単列の円すいころ軸受３ａ，３ｂにより回転自在に支持してある。
【０００５】
円すいころ軸受３ａ，３ｂは、内輪４ａ，４ｂと、外輪５ａ，５ｂと、これら内・外輪の間に転動自在に介装した円すいころ６ａ，６ｂと、を備えている。２つの単列の円すいころ軸受３ａ，３ｂは、２列背面組合せに設定してあり、その間には、外輪間座７が介装してある。
【０００６】
２つの単列の円すいころ軸受３ａ，３ｂに予圧を加える際には、軸端よりナット８にて軸端側列の内輪４ａが締め込まれる。
【発明の開示】
【発明が解決しようとする課題】
【０００７】
従来の軸受は、単列の円すいころ軸受３ａ，３ｂを、外輪間座７を合わせた２列背面組合せで使用しているが、軸端のナット８を締め込み、予圧を加える際には、軸２とナット８のねじ部の隙間及びナット８の端面の精度による影響で、ナット８の端面が傾き、それに伴い、軸端側列の内輪４ａに傾きが発生するといったことがある。
【０００８】
また、それに伴い、軸端側列の外輪５ａも外輪間座７との間で相対的に位置ずれを起こし、内輪４ａと共に傾きが生じやすいといったことがある。
【０００９】
このように、軸受３ａ，３ｂに傾きが生じると、予圧が不均一となり、剛性不足が発生し、また、軸受３ａ，３ｂの振れ精度が大きくなることから、胴１自体の振れが大きくなり、印刷時のインクのずれなどにより、印刷障害が発生するといった虞れがある。
【００１０】
本発明は、上述したような事情に鑑みてなされたものであって、軸端側列の内輪及び外輪の傾きを少なくして、軸受剛性の安定性と胴の振れを抑制することができる、転がり軸受を提供することを目的とする。
【課題を解決するための手段】
【００１１】
上記の目的を達成するため、本発明の請求項１に係る転がり軸受は、内輪と、外輪と、これら内・外輪の間に転動自在に介装した転動体とを備えた転がり軸受において、
前記外輪は、複列一体であり、
前記内輪は、２つの単列であり、
少なくとも一方の内輪は、双方の小鍔同士の間隔が互いに接触しない最小隙間になるように、軸方向に拡幅してあることを特徴とする。
【００１２】
本発明の請求項２に係る転がり軸受は、内輪と、外輪と、これら内・外輪の間に転動自在に介装した転動体とを備えた転がり軸受において、
前記外輪は、複列一体であり、
前記内輪は、２つの単列であり、
少なくとも一方の内輪は、双方の小鍔同士の間隔が互いに接触しない最小隙間になるように、軸方向に拡幅してあり、当該一方の内輪のみ小径化して厚肉化してあることを特徴とする。
【発明の効果】
【００１３】
本発明によれば、外輪は、複列一体であり、内輪は、２つの単列であり、少なくとも一方の内輪は、双方の小鍔同士の間隔が互いに接触しない最小隙間になるように、軸方向に拡幅してあることから、軸端側列の内輪及び外輪の傾きを少なくして、軸受剛性の安定性と胴の振れを抑制することができる。
【発明を実施するための最良の形態】
【００１４】
以下、本発明の実施の形態に係る転がり軸受を図面を参照しつつ説明する。
【００１５】
（第１実施の形態）
図１は、本発明の第１実施の形態に係り、印刷機械の胴サポート用転がり軸受の断面図である。
【００１６】
図１に示すように、胴サポート用の軸（図示略）は、円すいころ軸受１０ａ，１０ｂにより回転自在に支持してある。
【００１７】
円すいころ軸受１０ａ，１０ｂは、内輪１１ａ，１１ｂと、外輪１２と、これら内・外輪の間に転動自在に介装した円すいころ１３ａ，１３ｂと、を備えている。
【００１８】
外輪１２は、複列一体であり、内輪１１ａ，１１ｂは、２つの単列であり、２列背面組合せに設定してある。また、予圧を加える際には、軸端よりナット（図示略）にて軸端側列の内輪１１ａが締め込まれる。
【００１９】
本実施の形態では、外輪１２が複列一体であることから、外輪１２の剛性を高めることにより、軸受１０ａ，１０ｂの傾きを抑制することができる。
【００２０】
（第２実施の形態）
図２は、本発明の第２実施の形態に係り、印刷機械の胴サポート用転がり軸受の断面図である。
【００２１】
図２に示すように、胴サポート用の軸（図示略）は、円すいころ軸受１０ａ，１０ｂにより回転自在に支持してある。
【００２２】
円すいころ軸受１０ａ，１０ｂは、内輪１１ａ，１１ｂと、外輪１２と、これら内・外輪の間に転動自在に介装した円すいころ１３ａ，１３ｂと、を備えている。
【００２３】
外輪１２は、複列一体であり、内輪１１ａ，１１ｂは、２つの単列であり、２列背面組合せに設定してある。また、予圧を加える際には、軸端よりナット（図示略）にて軸端側列の内輪１１ａが締め込まれる。
【００２４】
さて、本実施の形態では、内輪１１ａ，１１ｂの小鍔１４ａ，１４ｂは、双方の小鍔１４ａ，１４ｂ同士の間隔が互いに接触しない最小隙間になるように、軸方向に拡幅してある。即ち、双方の小鍔１４ａ，１４ｂは、軸方向中央で、最小隙間をおいて、互いに近接するように形成してある。
【００２５】
これにより、内輪１１ａ，１１ｂの幅広化を図り、軸（図示略）との嵌め合い面を可能な限り確保して、内輪１１ａの傾きを抑制することができる。また、本実施の形態でも、外輪１２が複列一体であることから、外輪１２の剛性を高めることができる。
【００２６】
（第３実施の形態）
図３は、本発明の第３実施の形態に係り、印刷機械の胴サポート用転がり軸受の断面図である。
【００２７】
図３に示すように、胴サポート用の軸（図示略）は、円すいころ軸受１０ａ，１０ｂにより回転自在に支持してある。
【００２８】
円すいころ軸受１０ａ，１０ｂは、内輪１１ａ，１１ｂと、外輪１２と、これら内・外輪の間に転動自在に介装した円すいころ１３ａ，１３ｂと、を備えている。
【００２９】
外輪１２は、複列一体であり、内輪１１ａ，１１ｂは、２つの単列であり、２列背面組合せに設定してある。また、予圧を加える際には、軸端よりナット（図示略）にて軸端側列の内輪１１ａが締め込まれる。
【００３０】
さて、本実施の形態では、内輪１１ａ，１１ｂの小鍔１４ａ，１４ｂは、双方の小鍔１４ａ，１４ｂ同士の間隔が互いに接触しない最小隙間になるように、軸方向に拡幅してある。
【００３１】
即ち、小鍔１４ｂは、第１実施の形態（図１）と同様に形成してあり、拡幅していない。一方、軸端側列の小鍔１４ａは、軸方向中央を越えて延在すると共に、他方の小鍔１４ｂと最小隙間をおいて、互いに近接するように形成してある。
【００３２】
これにより、内輪１１ａの幅広化を図り、軸（図示略）との嵌め合い面を可能な限り確保して、内輪１１ａの傾きを抑制することができる。また、本実施の形態でも、外輪１２が複列一体であることから、外輪１２の剛性を高めることができる。
【００３３】
（第４実施の形態）
図４は、本発明の第４実施の形態に係り、印刷機械の胴サポート用転がり軸受の断面図である。
【００３４】
図５は、本発明の第４実施の形態に係り、印刷機械の胴と、当該胴サポート用転がり軸受の断面図である。
【００３５】
図４及び図５に示すように、胴サポート用の軸２は、円すいころ軸受１０ａ，１０ｂにより回転自在に支持してある。
【００３６】
円すいころ軸受１０ａ，１０ｂは、内輪１１ａ，１１ｂと、外輪１２と、これら内・外輪の間に転動自在に介装した円すいころ１３ａ，１３ｂと、を備えている。
【００３７】
外輪１２は、複列一体であり、内輪１１ａ，１１ｂは、２つの単列であり、２列背面組合せに設定してある。また、予圧を加える際には、軸端よりナット８にて軸端側列の内輪１１ａが締め込まれる。
【００３８】
さて、本実施の形態では、内輪１１ａ，１１ｂの小鍔１４ａ，１４ｂは、双方の小鍔１４ａ，１４ｂ同士の間隔が互いに接触しない最小隙間になるように、軸方向に拡幅してある。
【００３９】
即ち、小鍔１４ｂは、第１実施の形態（図１）と同様に形成してあり、拡幅していない。一方、軸端側列の小鍔１４ａは、軸方向中央を越えて延在すると共に、他方の小鍔１４ｂと最小隙間をおいて、互いに近接するように形成してある。
【００４０】
また、本実施の形態では、図４及び図５に示すように、軸端側列の内輪１１ａのみ小径化して、厚肉化してある。
【００４１】
さらに、図５に示すように、印刷機械では、胴１には、軸２が連結してあり、この軸２は、段付きに構成してあり、軸端側が小径部２ａに、軸中央側が大径部２ｂに形成してある。小径部２ａに、小径化して厚肉化した内輪１１ａが嵌合してある。
【００４２】
これにより、内輪１１ａの幅広化を図り、軸（図示略）との嵌め合い面を可能な限り確保し、軸端側列の内輪１１ａのみ小径化して内輪１１ａの剛性を高め、軸２（小径部２ａ）に対する嵌め合い時の追従性を高めることにより、特に、軸端側列の内輪１１ａの傾きを抑制することができる。また、本実施の形態でも、外輪１２が複列一体であることから、外輪１２の剛性を高めることができる。
【００４３】
なお、本発明は、上述した実施の形態に限定されず、種々変形可能である。
【図面の簡単な説明】
【００４４】
【図１】本発明の第１実施の形態に係り、印刷機械の胴サポート用転がり軸受の断面図である。
【図２】本発明の第２実施の形態に係り、印刷機械の胴サポート用転がり軸受の断面図である。
【図３】本発明の第３実施の形態に係り、印刷機械の胴サポート用転がり軸受の断面図である。
【図４】本発明の第４実施の形態に係り、印刷機械の胴サポート用転がり軸受の断面図である。
【図５】本発明の第４実施の形態に係り、印刷機械の胴と、当該胴サポート用転がり軸受の断面図である。
【図６】印刷機械の胴と、当該胴サポート用転がり軸受の断面図である。
【符号の説明】
【００４５】
１  胴
２  軸
２ａ  小径部
２ｂ  大径部
３ａ，３ｂ  円すいころ軸受
４ａ，４ｂ  内輪
５ａ，５ｂ  外輪
６ａ，６ｂ  円すいころ
７  外輪間座
８  ナット
１０ａ，１０ｂ  円すいころ軸受
１１ａ，１１ｂ  内輪
１２  外輪
１３ａ，１３ｂ  円すいころ
１４ａ，１４ｂ  小鍔
【図１】
2006077977.tif 000003
【図２】
2006077977.tif 000004
【図３】
2006077977.tif 000005
【図４】
2006077977.tif 000006
【図５】
2006077977.tif 000007
【図６】
2006077977.tif 000008